(57)【要約】【課題】装置の状態を監視する監視システムを提供すること。【解決手段】基板ボックス８０は、透明な樹脂製の上蓋部８０ａと、透明な樹脂製の下蓋部８０ｃとから構成されている。下蓋部８０ｃ上には、パチンコ機１の主制御を司る主制御基板４１が配置され、上蓋部８０ａの裏面側には、薄い長方形のＩＣタグ８６が設置されている。主制御基板４１の右下端部には、ＩＣタグ８６とＲＦ送受信を行うためのコイル状のアンテナ６８が設けられている。このアンテナ６８とＩＣタグ８６との距離は、上蓋部８０ａと下蓋部８０ｃを組み付けた状態で約３ｍｍに配置され、Ｒ／Ｗユニットがアンテナ６８を介してＩＣタグ８６を常時ポーリングする。上蓋部８０ａが開放され、アンテナ６８とＩＣタグ８６の距離が約５ｍｍを超えると通信不能になり、開放がすぐに検知される。【選択図】　図６
2004065801.tif 000002
【特許請求の範囲】
【請求項１】
ＩＣタグと、そのＩＣタグと通信を行うＩＣタグ監視装置とからなる監視システムであって、
前記ＩＣタグは、
他のＩＣタグと区別するための識別データを記憶し、
前記ＩＣタグ監視装置は、
前記ＩＣタグを呼び出す呼出波を送信する送信回路と、
前記ＩＣタグから返送される反射波を受信する受信回路と、
前記送信回路及び前記受信回路に接続されたアンテナと、
前記送信回路が呼出波を送信してから所定時間内に前記受信回路が反射波を受信せず通信不能状態となった場合、又は、前記反射波に含まれる前記識別データが予め登録されている登録データと異なっている場合に異常と判定する判定手段とを備えたことを特徴とする監視システム。
【請求項２】
前記受信回路は、前記ＩＣタグと前記アンテナの距離が所定の閾値を超えて変位すると、前記反射波が受信できなくなることを特徴とする請求項１に記載の監視システム。
【請求項３】
前記ＩＣタグ監視装置は、前記判定手段による判定結果、又は、前記受信回路が前記反射波を受信できる通信可能状態から前記反射波を受信できない通信不能状態となった時点の時刻である消失時刻、前記通信不能状態から前記通信可能状態になった時点の時刻である復帰時刻、もしくは、予め登録されている登録データと異なる識別データが受信された時点の時刻であるＩＤ異常時刻のうち少なくとも１つを含む監視履歴データを記憶する記憶手段を備えたことを特徴とする請求項１又は２に記載の監視システム。
【請求項４】
前記記憶手段は、前記判定手段による判定結果が前回から継続して正常である場合、及び、前回から継続して異常である場合には、前記判定結果及び前記監視履歴データを記憶しないことを特徴とする請求項３に記載の監視システム。
【請求項５】
前記送信回路は、前記ＩＣタグに対して呼出波を送信し、前記判定手段による判定及び前記記憶手段による記憶後直ちに、再び前記ＩＣタグに対して呼出波を送信することを特徴とする請求項３又は４に記載の監視システム。
【請求項６】
前記ＩＣタグ監視装置は、前記記憶手段が記憶した内容を外部に出力する出力手段を備えたことを特徴とする請求項３又は４に記載の監視システム。
【請求項７】
前記ＩＣタグ監視装置は、前記判定手段による判定結果、又は、前記受信回路が前記反射波を受信できる通信可能状態から前記反射波を受信できない通信不能状態となった時点の時刻である消失時刻、前記通信不能状態から前記通信可能状態になった時点の時刻である復帰時刻、もしくは、予め登録されている登録データと異なる識別データが受信された時点の時刻であるＩＤ異常時刻のうち少なくとも１つを含む監視履歴データを外部に出力する出力手段を備えたことを特徴とする請求項１又は２に記載の監視システム。
【請求項８】
前記出力手段は、前記判定手段による判定結果が前回から継続して正常である場合、及び、前回から継続して異常である場合には、前記判定結果及び前記監視履歴データを出力しないことを特徴とする請求項７に記載の監視システム。
【請求項９】
前記送信回路は、前記ＩＣタグに対して呼出波を送信し、前記判定手段による判定及び前記出力手段による出力後直ちに、再び前記ＩＣタグに対して呼出波を送信することを特徴とする請求項６乃至８のいずれかに記載の監視システム。
【請求項１０】
請求項１乃至９のいずれかに記載の監視システムを備えた遊技機。
【請求項１１】
遊技機を制御する制御素子を搭載した基板を封入し、本体部材とその本体部材から分離して取り外されるカバー部材とから構成される封入部材を備え、
前記ＩＣタグ及び前記アンテナは、一方が前記本体部材に、他方が前記カバー部材に設けられ、かつ、両者は、前記本体部材と前記カバー部材が組み付けられた状態の時に、前記封入部材に封入されて設置されていることを特徴とする請求項１０に記載の遊技機。
【請求項１２】
所定条件の成立により動作する可動部材を備え、
前記ＩＣタグ及び前記アンテナのいずれか一方が前記可動部材に設けられ、他方がその通信可能な近傍に設けられていることを特徴とする請求項１０に記載の遊技機。
【請求項１３】
請求項６乃至９のいずれかに記載の監視システムを備えた装置とその装置を管理する管理機とがネットワークを介して接続された装置管理システムであって、
前記管理機は、
前記出力手段から出力される前記判定結果又は前記監視履歴データを受信する監視履歴データ受信手段を備えたことを特徴とする装置管理システム。
【請求項１４】
前記管理機は、前記監視履歴データ受信手段が受信した前記判定結果又は前記監視履歴データを記憶する監視履歴データ記憶手段を備えたことを特徴とする請求項１３に記載の装置管理システム。
【請求項１５】
前記管理機は、前記監視履歴データ受信手段が受信した前記判定結果又は前記監視履歴データを出力する監視履歴データ出力手段を備えたことを特徴とする請求項１３又は１４に記載の装置管理システム。
【発明の詳細な説明】
【０００１】
【発明の属する技術分野】
本発明は、遊技機、例えばパチンコ機などの装置の状態を監視する監視システム、遊技機及び装置管理システムに関するものである。
【０００２】
【従来の技術】
従来、遊技機のうちパチンコ機においては、不当に遊技球を獲得する不正行為が後を絶たず、種々の防止策が施されている。特に、遊技機の制御を司る制御基板の不正改造、例えば、不正ＲＯＭへの交換を防止するために、制御基板を収納する制御基板収納ボックスには、様々な工夫が施されている。例えば、制御基板収納ボックスに封印シールを設けたり、また、特開平１０−２１６３２４号公報に記載のパチンコ機の制御基板収納ボックスでは、主制御基板に触われないように、制御基板収納ボックスを閉じるかしめ方向にのみ回転する封印ビスによって、制御基板収納ボックスの開放が困難になっている。さらに、特開平９−３４３６５号公報に記載のパチンコ機では、可動接点を用いて収納ボックスの開閉を検出して、その検出信号を記憶して、発光ダイオードにより報知するようになっている。また、特開２０００−２８８２１８号公報に記載の遊技用装置では、制御基板収納ボックスの表面にＩＣタグを貼着し、ＩＤ読取装置からの送信要求に応じてＩＣタグからその内部に記憶された識別情報をＩＤ読取装置に送信させ、識別情報を確認することにより、制御基板収納ボックスごと制御基板がすり替えられたか否かを判断するようになっている。
【０００３】
【発明が解決しようとする課題】
しかしながら、封印シールを用いるものでは、制御基板収納ボックスを開放して不正ＲＯＭへの交換が終了した後に、精巧な偽造封印シールを張られてしまうと制御基板収納ボックスが開閉されたか否かを判断することは困難だった。また、封印ビスを用いるものでは、特殊な工具で強制的に封印ビスを開放方向へ回して制御基板収納ボックスを開放して不正ＲＯＭへの交換が行われてしまうことがあった。さらに、可動接点を用いて制御基板収納ボックスの開閉を検出するものでは、制御基板収納ボックスは、通常透明の樹脂により形成されているために、収納ボックスの開閉を検出する可動接点が用いられているのが目視により分かり、基板収納ボックスの隙間から、ピアノ線などを入れて可動接点が動かないようにされてしまうことがあった。この場合には、制御基板収納ボックスの開閉を検出することができなくなると言う問題点があった。さらに、上記の従来技術では、制御基板収納ボックスが開閉されたか否かは、制御基板を目視しないと判断できないという問題点があり、このような不正行為は夜間に行われることが多いが、遊技場に何百台とある遊技機を毎朝点検確認するのは煩雑であった。また、ＩＣタグの識別により制御基板収納ボックスのすり替えを監視するものでは、ＩＤ読取装置が制御基板収納ボックスの外側に配置されているため、ＩＣタグとＩＤ読取装置の相対位置を変更せずに制御基板収納ボックスを開放し、収納された制御基板上のＲＯＭをすり替えることが可能であり、結局は、不正行為の早期発見には至らなかった。
【０００４】
本発明は、上記課題を解決するためになされたものであり、制御基板収納ボックスの開閉等の装置の状態をリアルタイムに監視する監視システム、遊技機及び装置管理システムを提供することを目的としている。
【０００５】
【課題を解決するための手段】
上記目的を達成するために、請求項１に記載の監視システムは、ＩＣタグと、そのＩＣタグと通信を行うＩＣタグ監視装置とからなる監視システムであって、前記ＩＣタグは、他のＩＣタグと区別するための識別データを記憶し、前記ＩＣタグ監視装置は、前記ＩＣタグを呼び出す呼出波を送信する送信回路と、前記ＩＣタグから返送される反射波を受信する受信回路と、前記送信回路及び前記受信回路に接続されたアンテナと、前記送信回路が呼出波を送信してから所定時間内に前記受信回路が反射波を受信せず通信不能状態となった場合、又は、前記反射波に含まれる前記識別データが予め登録されている登録データと異なっている場合に異常と判定する判定手段とを備えたことを特徴とする。
【０００６】
この構成の監視システムでは、ＩＣチップを内蔵したＩＣタグに対し、ＩＣタグ監視装置に備えられた送信回路がアンテナを介して呼出波を送信してＩＣタグを呼び出す。すると、ＩＣタグは記憶しているＩＤコード等の識別データを含む反射波を返し、これをＩＣタグ監視装置に備えられた受信回路がアンテナを介して受信する。そして、送信回路が呼出波を送信してから所定時間内に受信回路が反射波を受信せず通信不能状態となった場合、又は、反射波に含まれる識別データが予め登録されている登録データと異なっていた場合には、判定手段が異常と判定する。
【０００７】
ＩＣタグは、ＲＦＩＤ（Ｒａｄｉｏ　Ｆｒｅｑｕｅｎｃｙ−ＩＤｅｎｔｉｆｉｃａｔｉｏｎ）とも呼ばれ、内蔵のＩＣチップは非接触型のＩＣカードと同様のものであり、非接触通信により交信を行う。ＩＣチップ内のメモリ領域には、識別データとして、ＩＣタグ固有のＩＤコードに加えて、設置されている装置のＩＤ（メーカーＩＤ）、遊技場の管理コード（ホールＩＤ）等を追記して記憶させておくことが可能である。これらのＩＤは、それぞれが６４ｂｉｔ程度のユニークな（一意に識別できる）情報で構成されており、ＩＤを２重３重に構成することで、複製して不正に利用することは非常に困難になる。呼出波に応えて送信される反射波にはこのような識別データが含まれるため、光や電気等に比べて改竄やいわゆる「なりすまし」が難しい。従って、常にはＩＣタグをアンテナから通信可能な位置に設置しておくと、ＩＣタグを固着した部材が通信可能な範囲外へ移動する等した場合には、反射波が受信できなくなり、通信不能となる。また、通信不能状態から、通信可能範囲内の位置へ再び復帰すると反射波が受信できるようになる。このため、目視によらず部材の開放や移動等装置の状態の変化を検知することができる。このような通信不能と復帰を記憶させて履歴に残すようにすれば、正常な場合と不正な場合とを区別することもでき、効果的に監視を行うことができる。
【０００８】
請求項２に記載の監視システムは、請求項１に記載の発明の構成に加え、前記受信回路は、前記ＩＣタグと前記アンテナの距離が所定の閾値を超えて変位すると、前記反射波が受信できなくなることを特徴とする。
【０００９】
この構成の監視システムでは、請求項１に記載の発明の作用に加え、ＩＣタグとアンテナの距離が離れると、受信回路が反射波を受信できなくなり、通信不能となる。従って、ＩＣタグを開閉する部材に設置したような場合、部材が開放されることによってＩＣタグとアンテナの距離が離れると通信不能になるので、開放を検知することができる。
【００１０】
請求項３に記載の監視システムは、請求項１又は２に記載の発明の構成に加え、前記ＩＣタグ監視装置は、前記判定手段による判定結果、又は、前記受信回路が前記反射波を受信できる通信可能状態から前記反射波を受信できない通信不能状態となった時点の時刻である消失時刻、前記通信不能状態から前記通信可能状態になった時点の時刻である復帰時刻、もしくは、予め登録されている登録データと異なる識別データが受信された時点の時刻であるＩＤ異常時刻のうち少なくとも１つを含む監視履歴データを記憶する記憶手段を備えたことを特徴とする。
【００１１】
この構成の監視システムでは、請求項１又は２に記載の発明の作用に加え、記憶手段が、判定結果又は、監視履歴データを記憶する。監視履歴データには、受信回路が反射波を受信できなくなった時点の時刻（消失時刻）、再び受信できるようになった時点の時刻（復帰時刻）、ＩＣタグのすり替え等により予め登録されている登録データと異なる識別データが受信された時点の時刻（ＩＤ異常時刻）のいずれかが含まれる。従って、ＩＣタグの監視履歴を後から参照することができる。また、不正が行われた正確な時刻を知ることができるため、監視システムの設置された装置のある遊技場等に監視カメラが設置されている場合には、監視カメラと照合すれば、不正行為をなした人物を特定することも可能である。
【００１２】
請求項４に記載の監視システムは、請求項３に記載の発明の構成に加え、前記記憶手段は、前記判定手段による判定結果が前回から継続して正常である場合、及び、前回から継続して異常である場合には、前記判定結果及び前記監視履歴データを記憶しないことを特徴とする。
【００１３】
この構成の監視システムでは、請求項３に記載の発明の作用に加え、判定手段による判定結果が前回から継続して正常又は異常である場合には、判定結果や監視履歴データは記憶されない。従って、正常であれ異常であれ状態の変化がない場合は記憶せず、状態の変化があった場合のみ記憶するようにしたので、記憶容量を節約することができる。
【００１４】
請求項５に記載の監視システムは、請求項３又は４に記載の発明の構成に加え、前記送信回路は、前記ＩＣタグに対して呼出波を送信し、前記判定手段による判定及び前記記憶手段による記憶後直ちに、再び前記ＩＣタグに対して呼出波を送信することを特徴とする。
【００１５】
この構成の監視システムでは、請求項３又は４に記載の発明の作用に加え、ＩＣタグに対して呼出波を送信し、所定時間待機して反射波が受信できなければ通信不能状態として異常と判定し、必要な場合は判定結果や監視履歴データを記憶して、その後すぐに再びＩＣタグに対して呼出波を送信する。反射波を受信した場合には、これに含まれる識別データが真正であるかどうかをチェックし、真正でなければ異常と判定し、通信不能状態の場合と同様に、必要な場合は判定結果や監視履歴データを記憶して、その後すぐに再びＩＣタグに対して呼出波を送信する。反射波に含まれる識別データが真正であれば、正常と判定し、必要な場合は判定結果や監視履歴データを記憶して、すぐに再びＩＣタグを呼び出す。このような方法によりＩＣタグを常時呼び出して、装置の状態を監視するため、リアルタイムに異常を発見し、外部に出力したり履歴を残すことができる。
【００１６】
請求項６に記載の監視システムは、請求項３又は４に記載の発明の構成に加え、前記ＩＣタグ監視装置は、前記記憶手段が記憶した内容を外部に出力する出力手段を備えたことを特徴とする。
【００１７】
この構成の監視システムでは、請求項３又は４に記載の発明の作用に加え、記憶された判定結果や監視履歴データが外部に出力される。従って、異常と判定された場合に光や音等で報知する等して注意を喚起することができる。
【００１８】
請求項７に記載の監視システムは、請求項１又は２に記載の発明の構成に加え、前記ＩＣタグ監視装置は、前記判定手段による判定結果、又は、前記受信回路が前記反射波を受信できる通信可能状態から前記反射波を受信できない通信不能状態となった時点の時刻である消失時刻、前記通信不能状態から前記通信可能状態になった時点の時刻である復帰時刻、もしくは、予め登録されている登録データと異なる識別データが受信された時点の時刻であるＩＤ異常時刻のうち少なくとも１つを含む監視履歴データを外部に出力する出力手段を備えたことを特徴とする。
【００１９】
この構成の監視システムでは、請求項１又は２に記載の発明の作用に加え、出力手段が、判定結果又は、監視履歴データを外部に出力する。監視履歴データには、受信回路が反射波を受信できなくなった時点の時刻（消失時刻）、再び受信できるようになった時点の時刻（復帰時刻）、ＩＣタグのすり替え等により予め登録されている登録データと異なる識別データが受信された時点の時刻（ＩＤ異常時刻）のいずれかが含まれる。出力された判定結果や監視履歴データは外部装置において報知を行ったり、外部装置側で記憶してＩＣタグの監視履歴を後から参照することができる。また、不正が行われた正確な時刻を知ることができるため、監視システムの設置された装置のある遊技場等に監視カメラが設置されている場合には、監視カメラと照合すれば、不正行為をなした人物を特定することも可能である。
【００２０】
請求項８に記載の監視システムは、請求項７に記載の発明の構成に加え、前記出力手段は、前記判定手段による判定結果が前回から継続して正常である場合、及び、前回から継続して異常である場合には、前記判定結果及び前記監視履歴データを出力しないことを特徴とする。
【００２１】
この構成の監視システムでは、請求項７に記載の発明の作用に加え、判定手段による判定結果が前回から継続して正常又は異常である場合には、判定結果や監視履歴データは外部に出力されない。従って、正常であれ異常であれ状態の変化がない場合は外部に出力せず、状態の変化があった場合のみ外部に出力するようにしたので、効率的に出力結果を利用することができる。
【００２２】
請求項９に記載の監視システムは、請求項６乃至８のいずれかに記載の発明の構成に加え、前記送信回路は、前記ＩＣタグに対して呼出波を送信し、前記判定手段による判定及び前記出力手段による出力後直ちに、再び前記ＩＣタグに対して呼出波を送信することを特徴とする。
【００２３】
この構成の監視システムでは、請求項６乃至８のいずれかに記載の発明の作用に加え、ＩＣタグに対して呼出波を送信し、所定時間待機して反射波が受信できなければ通信不能状態として異常と判定し、必要な場合は判定結果や監視履歴データを外部に出力して、その後すぐに再びＩＣタグに対して呼出波を送信する。反射波を受信した場合には、これに含まれる識別データが真正であるかどうかをチェックし、真正でなければ異常と判定し、通信不能状態の場合と同様に、必要な場合は判定結果や監視履歴データを外部に出力して、その後すぐに再びＩＣタグに対して呼出波を送信する。反射波に含まれる識別データが真正であれば、正常と判定し、必要な場合は判定結果や監視履歴データを外部に出力して、すぐに再びＩＣタグを呼び出す。このような方法によりＩＣタグを常時呼び出して装置の状態を監視するため、リアルタイムに異常を発見し、外部に出力したり履歴を残すことができる。
【００２４】
請求項１０に記載の遊技機は、請求項１乃至９のいずれかに記載の監視システムを備えたことを特徴とする。この構成の遊技機では、請求項１乃至９のいずれかに記載の発明の作用を奏することができる。
【００２５】
請求項１１に記載の遊技機は、請求項１０に記載の発明の構成に加え、遊技機を制御する制御素子を搭載した基板を封入し、本体部材とその本体部材から分離して取り外されるカバー部材とから構成される封入部材を備え、前記ＩＣタグ及び前記アンテナは、一方が前記本体部材に、他方が前記カバー部材に設けられ、かつ、両者は、前記本体部材と前記カバー部材が組み付けられた状態の時に、前記封入部材に封入されて設置されていることを特徴とする。
【００２６】
この構成の遊技機では、請求項１０に記載の発明の作用に加え、ＩＣタグと、アンテナとが本体部材とカバー部材に別個に設けられ、本体部材とカバー部材が組み付けられた状態の時に、両者は封入部材に封入されているため、カバー部材が開けられると、ＩＣタグとアンテナの相対位置が変化し、通信不能状態となる。これを外部に出力したり、記憶して履歴を取ったりすることにより、基板の交換等を目的とした不正な開放を検知することができる。すぐに報知するように構成すれば、不正行為の早期発見に役立つ。
【００２７】
請求項１２に記載の遊技機は、請求項１０に記載の発明の構成に加え、所定条件の成立により動作する可動部材を備え、前記ＩＣタグ及び前記アンテナのいずれか一方が前記可動部材に設けられ、他方がその通信可能な近傍に設けられていることを特徴とする。
【００２８】
この構成の遊技機では、請求項１０に記載の発明の作用に加え、入賞口や始動口等の所定条件の成立により動作する可動部材を備えた遊技部材にＩＣタグかアンテナを備え、その通信可能な近傍に他方を備えている。従って、可動部材が動作すると、反射波が受信できなくなり、これを所定条件の成立の有無とつきあわせることにより、正常な動作か不正行為かを検知することができる。ここで、所定条件の成立には、遊技媒体の入賞により抽選が行われ、その結果が予め定められた当りの値に該当する場合等が該当する。
【００２９】
請求項１３に記載の装置管理システムは、請求項６乃至９のいずれかに記載の監視システムを備えた装置とその装置を管理する管理機とがネットワークを介して接続された装置管理システムであって、前記管理機は、前記出力手段から出力される前記判定結果又は前記監視履歴データを受信する監視履歴データ受信手段を備えたことを特徴とする。
【００３０】
この構成の装置管理システムでは、請求項６乃至９のいずれかに記載の発明の作用に加え、管理機の監視履歴データ受信手段が、ＩＣタグ監視装置の出力手段から出力された判定結果や監視履歴データを受信する。従って、個々の装置の監視履歴データを管理機側で把握して早期に対応することが可能になる。
【００３１】
請求項１４に記載の装置管理システムは、請求項１３に記載の発明の構成に加え、前記管理機は、前記監視履歴データ受信手段が受信した前記判定結果又は前記監視履歴データを記憶する監視履歴データ記憶手段を備えたことを特徴とする。
【００３２】
この構成の装置管理システムでは、請求項１３に記載の発明の作用に加え、受信した監視履歴データを管理機の監視履歴データ記憶手段が記憶する。従って、個々の装置の監視履歴データを管理機側で一括して記憶し、ＩＣ監視装置の記憶内容をクリアしたり、複数の装置の監視履歴を比較したりする等、柔軟な対応が可能になる。
【００３３】
請求項１５に記載の装置管理システムは、請求項１３又は１４に記載の発明の構成に加え、前記管理機は、前記監視履歴データ受信手段が受信した前記判定結果又は前記監視履歴データを出力する監視履歴データ出力手段を備えたことを特徴とする。
【００３４】
この構成の装置管理システムでは、請求項１３又は１４に記載の発明の作用に加え、受信した監視履歴データを管理機の監視履歴データ出力手段が出力する。従って、複数の装置の監視履歴をまとめて一ヶ所で表示したり、警告ランプや音等で報知したりして不正行為等に効率的に対応できる。
【００３５】
【発明の実施の形態】
以下、本発明の一実施の形態について図面を参照して以下の順で説明する。
１．システム構成の概要説明
２．装置の構成の説明
３．発明部分の構成説明
４．装置内部のハード部分の構成説明
５．発明部分のハード部分の構成説明
６．発明部分の動作説明
７．変形例の説明
８．実施の形態の効果
【００３６】
１．システム構成の概要説明
図１は、本実施の形態である遊技場における遊技機の管理システム２００の構成図である。管理システム２００は、遊技場内にある複数台のパチンコ機１を背中合わせに２列に並べて設置した遊技機設置島の各々に管理機１００を設置し、その遊技機設置島にあるパチンコ機（遊技機）１が付属のリーダライタユニット（以下、「Ｒ／Ｗユニット」と称する。）５６を介して管理機１００に接続される構成となっている。そして、パチンコ機１には、背面の遊技機を制御するための主制御基板４１を収納した基板ボックス８０（図４参照）と大入賞口１６（図２参照）の開閉扉にそれぞれＩＤコード（識別データ）を記憶したＩＣタグを設置し、ＩＣタグに呼出波を送信して反射波を受信し、反射波に含まれたＩＤコードを読み取ることにより、設置箇所の開放を検知して、検知した結果を管理機１００に送信して管理機１００にて報知を行い、遊技場内で対応ができるように構成されている。また、管理システム２００は、各Ｒ／Ｗユニット５６と管理機１００とをＬＡＮケーブル等の通信ケーブル１５０で接続している。各パチンコ機１には、ＩＣタグを呼び出して識別データを読み取るための独立したＲ／Ｗユニット５６（ＩＣタグ監視装置）が付属している。管理機１００は、さらに遊技場全体を管理する遊技場管理用ホールコンピュータ３００に接続されており、この遊技場管理用ホールコンピュータ３００が各管理機１００を一括管理している。
【００３７】
２．装置の構成の説明
図２はパチンコ機１の正面図であり、図３はパチンコ機１の遊技盤２の正面図である。図２及び図３に示すように、パチンコ機１の正面の上半分の部分には、略正方形の遊技盤２が設けられ、遊技盤２には、ガイドレール３で囲まれた略円形の遊技領域４が設けられている。遊技盤２は、遊技領域４を保護するとともに遊技者から見える透明なガラス板で覆われ、ガラス板はガラス枠１３で保持されている。パチンコ機１の遊技盤２の下方部には、図示外の発射機に遊技球を供給し、また、賞品球を受ける上皿５が設けられ、上皿５の直下には、賞品球を受ける下皿６が設けられ、下皿６の右横には、発射ハンドル７が設けられ、上皿５と下皿６との間には、スピーカー４８が設けられている。
【００３８】
また、遊技領域４の略中央には、液晶画面を備えた特別図柄表示装置８が設けられている。この特別図柄表示装置８には、第１図柄停止部Ｌ１、第２図柄停止部Ｌ２、第３図柄停止部Ｌ３及び普通図柄表示部８ａが設けられており、普通図柄表示部８ａには、一桁の数字や一文字のアルファベットあるいは記号やマーク等の図柄を表示できるようになっている。また、特別図柄表示装置８の右上方には電飾風車９が設けられ、左上方にも電飾風車１０が設けられている。さらに、特別図柄表示装置８の右側には普通図柄始動ゲート１１が設けられ、左側にも普通図柄始動ゲート１２が設けられている。また、特別図柄表示装置８の下側には、特別図柄始動電動役物１５が設けられており、その特別図柄始動電動役物１５の下方には、大入賞口１６が設けられている。尚、遊技盤２には、上記以外に、種々の電飾ランプ、風車及び多数の障害釘等が設けられている。
【００３９】
次に、図４を参照して、パチンコ機１の背面の構造について説明する。図４はパチンコ機１の背面図である。図４に示すように、パチンコ機１の左下部背面には、パチンコ機１の主制御を司る主制御基板４１を収納した基板ボックス８０が設けられ、基板ボックス８０の右隣には音基板４３が、音基板４３の右隣上方には電源基板４２が、その下方には払出制御基板４５がそれぞれ透明な樹脂製のボックスに収められて配置されている。さらに、基板ボックス８０の上方には、遊技盤の裏面を保護し、各種配線を覆うセンターカバー９０が配置され、そのセンターカバー９０の外側にＩＣタグを呼び出してＩＤコードを読み取るためのＲ／Ｗユニット５６が設置されている。
【００４０】
３．発明部分の構成説明
次に、図５を用いてＩＣタグ監視装置であるＲ／Ｗ（リーダ・ライタ）ユニット５６について説明する。図５は、Ｒ／Ｗユニット５６の分解斜視図である。図５に示すように、Ｒ／Ｗユニット５６は、基板ボックス８０の上方、センターカバー９０の外側に取り付けられており（図４参照）、パチンコ機１とは独立してなるユニットとして構成され、島設備から電源供給を受けている。図５に示すように、Ｒ／Ｗユニット５６には、ＣＰＵ５６ａ、ＲＡＭ５６ｂ、ＲＯＭ５６ｃ、ＥＥＰＲＯＭ５６ｄ、ＲＦ回路５６ｇ、ＬＡＮカード５６ｈ、入力ポート５６ｉが備えられ、送信回路及び受信回路であるＲＦ回路５６ｇから同軸ケーブル５６ｋによりアンテナ６８，１６８（後述）に接続し、ＬＡＮカード５６ｈからＬＡＮケーブルにより管理機１００に接続している。また、入力ポート５６ｉを経由して、パチンコ機１の主制御基板４１からの信号を受信する。Ｒ／Ｗユニット５６は、アンテナ６８，１６８を介してＩＣタグ８６，１８６と無線通信を行う。さらに、Ｒ／Ｗユニット５６には、ＩＣタグ８６，１８６との通信に異常があった場合に点灯される７セグメント表示器６９が設けられている。７セグメント表示器６９は、ＩＣタグが識別不能状態になったり、ＩＤエラーになったりして、設置箇所に開閉等の異常が判定された場合に、異常箇所を特定し（例えばＡ，Ｂ等の記号による）、異常（開閉）回数の累計を表示する。
【００４１】
次に、図６乃至図９を参照して、基板ボックス８０の構造について説明する。図６は、基板ボックス８０の平面図であり、図７は、基板ボックス８０の斜視図であり、図８及び図９は、基板ボックス８０の分解斜視図である。
【００４２】
図６乃至図９に示すように、基板ボックス８０は、透明な樹脂製の平面視略長方形の上蓋部８０ａと、同じく透明な樹脂製の平面視略長方形の下蓋部８０ｃとから構成されている。また、上蓋部８０ａに対向する下蓋部８０ｃ上には、パチンコ機１の主制御を司る主制御基板４１が配置されている。そして、図９に示すように、上蓋部８０ａの裏面側には、小型で長方形のＩＣタグ８６が接着剤等で接着されている。
【００４３】
ここで、ＩＣタグ８６の構造について説明する。図１０は、ＩＣタグ８６の平面図である。ＩＣタグ８６は、図１０に示すように、薄いフレキシブルプリント基板上にＲＦ回路８６ａとＥＥＰＲＯＭ８６ｃ（図１６参照）とが一体となったＩＣチップ８６ｄ及びアンテナ回路８６ｂが設けられてなっている。
【００４４】
また、図８に示すように、主制御基板４１の右下端部には、ＩＣタグ８６と電磁波によるＲＦ（Ｒａｄｉｏ　Ｆｒｅｑｕｅｎｃｙ：高周波無線）送受信を行うためのコイル状のアンテナ６８が設けられ、アンテナ６８は同軸ケーブル５６ｋによりＲ／Ｗユニット５６に接続されている。本実施形態において、ＩＣタグ８６とアンテナ６８は、１３．５６ＭＨｚの短波帯で通信を行っている。アンテナ６８とＩＣタグ８６との距離は、上蓋部８０ａと下蓋部８０ｃを組み付けた状態で約３ｍｍになるように配置されている。この距離間ではＲＦ送受信が可能でありアンテナ６８を介したＲ／Ｗユニット５６からの呼び出しにＩＣタグ８６が応答することができ、アンテナ６８とＩＣタグ８６との距離が約５ｍｍを超えると通信不能となるように設定されている。この通信可能距離は、アンテナ６８のコイルの巻き数やリアクタンス値により調節が可能である。このように通信可能距離を設定することにより、上蓋部８０ａのわずかな隙間の開放であっても検知することができ、また、振動等によるわずかな揺れでは通信不能とならないように調整されている。
【００４５】
アンテナ６８とＩＣタグ８６間の通信は電磁波を使用するので、他の電磁波を使用する部材からのノイズの影響による誤動作を防ぐために、ＩＣタグ８６やアンテナ６８は、ソレノイドを使用している賞品払出装置４９や発射モータ６７（後述）から離した位置である主制御基板４１の右下端部に配置している。
【００４６】
次に、所定条件の成立により扉を開閉する可変入賞装置の一種である大入賞口１６が設けられているアタッカ部材１６０へのＩＣタグの設置について図１１及び図１２に基づいて詳細に説明する。図１１は、開閉扉１６ａが閉鎖されている状態のアタッカ部材１６０の斜視図であり、図１２は、開閉扉１６ａが開放されている状態のアタッカ部材１６０の斜視図である。
【００４７】
図１１及び図１２に示すように、アタッカ部材１６０の開閉扉１６ａの表面には、前述したＩＣタグ８６と同形状のＩＣタグ１８６（図１０参照）が貼り付けられ、さらにＩＣタグ１８６を覆うように装飾シール等が貼付されて遊技者からは見えないようになっている。また、アタッカ部材１６０の開口部である大入賞口１６の周囲には、ＩＣタグ１８６を囲むようにループ形状のアンテナ１６８が設けられ、アンテナ１６８は同軸ケーブル５６ｋによりＲ／Ｗユニット５６に接続されている。図１１に示す大入賞口１６の閉鎖状態では、ＩＣタグ１８６とアンテナ１６８はほぼ同一平面上に位置している。このＩＣタグ１８６は、送受信方向に指向性があり、アンテナと平行に位置した場合のみ送受信可能である。図１１に示すように、開閉扉１６ａが閉鎖された状態ではアンテナ１６８とＩＣタグ１８６は平行となるので、アンテナ１６８を介したＲ／Ｗユニット５６からの呼出波に対してＩＣタグ１８６から反射波が返される。一方、図１２に示すように開閉扉１６ａが開くと、ＩＣタグ１８６とアンテナ１６８とは平行でなくなり、通信可能な臨界角度を超えると、ＩＣタグ１８６はＲ／Ｗユニット５６からの呼び出しに応答できなくなる。
【００４８】
前述したように、アンテナ１６８とＩＣタグ１８６間の通信は電磁波を使用するため、他の電磁波を使用する部材からのノイズの影響による誤動作を防ぐために、ＩＣタグ１８６やアンテナ１６８は、アタッカ部材１６０の左奥に位置する大入賞口開放ソレノイド７０（後述）から離した位置に配置されている。
【００４９】
次に、管理機１００の構成について図１３を参照して説明する。図１３は、管理機１００の正面図である。図１３に示すように、管理機１００は、上部に警告ランプ１０８を、正面に表示器１０７を備えている。警告ランプ１０８の上段は大入賞口１６の開閉扉１６ａの開放を報知する赤いランプ１０８ａであり、下段は基板ボックス８０の不正開放を報知する青いランプ１０８ｂである。管理機１００に接続されているパチンコ機１のいずれかで大入賞口１６の開閉扉１６ａの不正開放もしくは基板ボックス８０の開放が検知され、管理機１００に報知された場合には、ランプ１０８ａ，１０８ｂが点灯し、遊技場の係員の注意を喚起するようになっている。また、表示器１０７には、どのパチンコ機１で何の開放が検知されたのかを表示するようになっている。図１３では、１０４番台のアタッカ（大入賞口１６の開閉扉１６ａ）が不正開放された旨が表示器１０７に表示され、赤いランプ１０８ａが点灯している。警告ランプ１０８は、約５秒程度で消灯するようになっており、表示器１０７の表示は、係員が暗証番号等で管理者権限を入力し、クリアボタン１１０を押下することにより消去することができる。
【００５０】
４．装置内部のハード部分の構成説明
次に、パチンコ機１の電気的構成について図１４を参照して説明する。図１４は、パチンコ機１の電気的回路構成を示すブロック図である。パチンコ機１の制御部４０はパチンコ機１の裏側に設けられ、この制御部４０は、主制御基板４１、電源基板４２、音基板４３、図柄表示基板４４、払出制御基板４５、電飾基板４６、中継基板４７及び発射基板６６から構成され、主制御基板４１には、プログラムに従って各種の処理を行うＬＳＩ５０が設けられている（図８参照）。このＬＳＩ５０には、各種の演算処理を行うＣＰＵ５１、フラグやカウンタ値やデータやプログラム等を記憶するＲＡＭ５２と、制御プログラム及び各種の初期値のデータや特別図柄表示装置８への表示内容のデータ等を記憶したＲＯＭ５３とが設けられており、これらは一つのＬＳＩとして一体にモールディングされている。
【００５１】
また、主制御基板４１には、音基板４３、図柄表示基板４４、払出制御基板４５、電飾基板４６、中継基板４７等とデータ信号の送受信を行うＩ／Ｏインターフェース５４が設けられている。このＩ／Ｏインターフェース５４には、遊技場管理用ホールコンピュータ３００にＲ／Ｗユニット５６を介してパチンコ機１の各種遊技情報を出力する出力ポート５５が接続されている。
【００５２】
音基板４３、図柄表示基板４４、払出制御基板４５、電飾基板４６、及び発射基板６６にも、ＣＰＵ（図示外）、ＲＡＭ（図示外）、ＲＯＭ（図示外）、Ｉ／Ｏインターフェース（図示外）が各々搭載されている。主制御基板４１はパチンコ機１の主制御を司り、電源基板４２は島側から供給された交流電流（２４Ｖ）を直流電流に変換して各基板に直流電流を供給し、音基板４３はパチンコ機１の効果音の発生を制御し、図柄表示基板４４は特別図柄表示装置８の制御を行い、払出制御基板４５は賞品球払出装置４９の制御を行い、電飾基板４６はパチンコ１の各電飾の発光態様を制御し、中継基板４７は、各センサーの配線の中継を行っている。また、発射基板６６は、遊技球を発射する発射モーター６７の制御を行っている。
【００５３】
電飾基板４６には、ＬＥＤ６２、及び電飾ランプ６３が接続されている。また、図柄表示基板４４には特別図柄表示装置８が接続され、音基板４３には、スピーカー４８が接続され、また、払出制御基板４５には、賞品球払出装置４９が接続され、さらに、中継基板４７には、大入賞口１６の開閉扉１６ａを開放する大入賞口開放ソレノイド７０、特別図柄始動電動役物開放ソレノイド７１、特別図柄始動電動役物１５に入賞した遊技球を検出する始動口スイッチ７２、普通図柄始動ゲート１１，１２を通過した遊技球を検出する普通図柄作動スイッチ７３、大入賞口１６内のＶゾーンに入賞した遊技球を検出するＶスイッチ７４、大入賞口１６に入賞した遊技球数を計数するためのカウントスイッチ７５、普通入賞口１９，２０等に入賞して図示外の案内通路により入賞球集合部に集められた入賞球を検出する入賞口スイッチ７６とが接続されている。
【００５４】
また、電源基板４２は、主制御基板４１、音基板４３、図柄表示基板４４、払出制御基板４５、電飾基板４６、中継基板４７に各々接続されて、直流の安定化された電力が供給されるようになっている。尚、電源基板４２には、交流２４Ｖが供給されている。電源基板４２には、図示外のシリコンダイオードブリッジからなる整流器、電解コンデンサからなる平滑回路、レギュレータＩＣからなる安定化回路等が設けられており、安定化された直流の１２Ｖ及び５Ｖ等を供給できるようになっている。尚、図１４では、特に図示しないが、主制御基板４１、電源基板４２、音基板４３、図柄表示基板４４、払出制御基板４５、電飾基板４６、中継基板４７は、全て、アースラインで接続されている。
【００５５】
５．発明部分のハード部分の構成説明
次に、Ｒ／Ｗユニット５６の電気的構成について図１５を参照して説明する。図１５は、Ｒ／Ｗユニット５６の電気的回路構成を示すブロック図である。Ｒ／Ｗユニット５６には、各種の演算処理を行うＣＰＵ５６ａ、フラグやデータ等を一時的に記憶するＲＡＭ５６ｂ、制御プログラム及び各種の初期値のデータ等を記憶したＲＯＭ５６ｃ、ＩＣタグ８６，１８６との通信履歴を記憶するＥＥＰＲＯＭ５６ｄ、Ｉ／Ｏインターフェース５６ｅ、タイマ５６ｆ、ＩＣタグ８６，１８６へ呼出波を放出し、ＩＣタグ８６，１８６から反射波を受信するＲＦ回路５６ｇ、管理機１００の通信回路１０６に接続するＬＡＮカード５６ｈ、パチンコ機の主制御基板４１から各種信号を受信する入力ポート５６ｉ、７セグメント表示器６９が搭載されている。
【００５６】
ＣＰＵ５６ａが、ＲＦ回路５６ｇからアンテナ６８，１６８を介してＩＣタグ８６，１８６に呼出波を発信し、ＩＣタグ８６，１８６からの反射波の返信の有無に変化があれば、ＥＥＰＲＯＭ５６ｄに時刻を記憶する。反射波が返ってきた場合には、すぐにまた次の呼び出しを行い、反射波が返ってこない場合には、時刻を記憶して再び次の呼び出しを行う。このようにして、Ｒ／Ｗユニット５６は、ほぼ常時ＩＣタグ８６，１８６と通信を行って状態を確認している。また、Ｉ／Ｏインターフェース５６ｅは、ＬＡＮカード５６ｈを介して管理機１００の通信回路１０６（後述）に接続しており、Ｉ／Ｏインターフェース５６ｅから通信回路１０６に向けてＩＤコードや消失時刻、復帰時刻等の監視履歴データが送信される。また、Ｒ／Ｗユニット５６は、大当たり信号等の各種信号をパチンコ機１の主制御基板４１から入力ポート５６ｉを経由して受信する。受信した大当たり信号は、大入賞口１６のの開閉扉１６ａの開放を監視する処理の中で正常な開放であるかどうかを照合するために使用される。
【００５７】
次に、ＩＣタグ８６の電気的構成について図１６を参照して説明する。ＩＣタグ１８６についても同様の構成となっている。図１６は、ＩＣタグ８６の電気的回路構成を示すブロック図である。ＩＣタグ８６には、Ｒ／Ｗユニット５６からの呼出波に応答して反射波を放出するＲＦ回路８６ａ、コイルアンテナ８６ｂ、ＥＥＰＲＯＭ８６ｃが搭載されている。ＥＥＰＲＯＭ８６ｃには、ＩＣタグ８６を他のＩＣタグ８６から識別するためのＩＤコード、メーカーＩＤ、ホールＩＤ等の識別データが上書消去禁止区域に記憶されている。Ｒ／Ｗユニット５６からアンテナ６８を介して呼出波が送られてくると、コイルアンテナ８６ｂがこれを受信するが、この呼出波には搬送波成分が含まれており、これを受信してＲＦ回路８６ａで整流して直流電圧を得る。従って、ＩＣタグ８６は、電池や外部電源を使用せずに必要な時にいつでもデータを発信することができる。データの発信は、ＥＥＰＲＯＭ８６ｃからＩＤコード等の識別データを読み出して反射波に乗せ、ＲＦ回路８６ａからアンテナ６８に向けて送信する。また、一旦Ｒ／Ｗユニット５６のＲＡＭ５６ｂに記憶された消失時刻や復帰時刻などのデータを後に受信してＥＥＰＲＯＭ８６ｃに記憶しておくこともできる。
【００５８】
次に、管理機１００の電気的構成について図１７を参照して説明する。図１７は管理機１００の電気的構成を示すブロック図である。図１７に示すように、管理機１００は、各種の演算を行うＣＰＵ１０１と、フラグやデータ等を一時的に記憶するＲＡＭ１０２と、制御プログラム及び各種の初期値のデータ等を記憶したＲＯＭ１０３と、管理者権限データベースや、履歴データベースを記憶したＥＥＰＲＯＭ１０４と、Ｒ／Ｗユニット５６とデータの送受信を行うためのＩ／０インターフェース１０５と、通信回路１０６と、受信した監視履歴データを表示するための表示器１０７と、受信した監視履歴データに基づいて点灯される警告ランプ１０８とから構成されている。
【００５９】
ＲＯＭ１０３に管理プログラムが格納され、これを呼び出してＣＰＵ１０１が管理処理を実行する。通信回路１０６は、Ｒ／Ｗユニット５６のＩ／Ｏインターフェース５６ｅからＬＡＮカード５６ｈを介し、ＬＡＮケーブル等の通信ケーブル１５０を経由してＩＤコード、消失時刻、復帰時刻等の監視履歴データを受信する。受信した監視履歴データに基づき、表示器１０７への表示、警告ランプ１０８の点灯が行われる。
【００６０】
６．発明部分の動作説明
次に、Ｒ／Ｗユニット５６で行われる、基板ボックス８０の状態を監視する監視処理について、図１８のフローチャートを参照して説明する。図１８は、基板ボックス８０の状態を監視する監視処理のフローチャートである。Ｒ／Ｗユニット５６は、遊技場の営業中・夜間を問わず常時基板ボックス８０の監視処理を行っている。本実施形態では、Ｒ／Ｗユニット５６は、島電源から電源供給を受けており、島電源は夜間も電源が投入されたままとなっている。
【００６１】
まず、Ｒ／Ｗユニット５６内のＣＰＵ５６ａは、ＲＦ回路５６ｇからアンテナ６８を介して、ＩＣタグ８６に呼出波を送信してポーリングし（Ｓ１）、ＩＣタグ８６が反射波にＩＤコード（識別データ）を乗せて返信してくるのを待つ。次に、ＩＣタグ８６から設定時間内に反射波が返ってきたかどうかを判断する（Ｓ３）。本実施形態では、待ち時間を５０ミリ秒に設定している。
【００６２】
ＩＣタグ８６から設定時間内に真正ＩＤコードが含まれた反射波が返信され、かつ、その応答が前回から継続していれば、基板ボックス８０は正常な状態と判定できる。この判定は、具体的には、以下のように処理を行う。設定時間内に応答が返ってきた場合（Ｓ３：ＹＥＳ）、返って来たＩＤコードが正しいものであるかどうかを判断し（Ｓ１３）、ＩＤコードが正しい場合には（Ｓ１３：ＹＥＳ）、ＩＤエラーフラグがＯＮにされているかどうかを判断する（Ｓ２３）。ＩＤエラーフラグは、前回から継続して正しいＩＤが返信されてきたかどうかをチェックするものである。ＩＤエラーフラグがＯＦＦの場合には（Ｓ２３：ＮＯ）、前回から継続して正しいＩＤが返信されてきている。次に、消失フラグがＯＮになっているかどうかを判断する（Ｓ２７）。消失フラグは、前回設定時間内にＩＣタグ８６から応答があったかどうかをチェックするものである。消失フラグがＯＦＦになっていれば（Ｓ２７：ＮＯ）、前回も設定時間内にＩＣタグ８６からＩＤコードが返信されている。従って、前回から継続して設定時間内に正しいＩＤコードが返信されているので、基板ボックス８０は正常と判定され、何ら記憶も行われず、管理機１００にデータの送信も行われない。そのままＳ３５に進む。
【００６３】
時間内に応答が帰って来なかった場合は（Ｓ３：ＮＯ）、故障でないとすれば、ＩＣタグ８６がアンテナ６８から通信範囲外まで離れたためであると考えられるから、ＩＣタグ８６が取り付けられた基板ボックス８０の上蓋部８０ａが開放された可能性がある。この時点で基板ボックス８０の状態は異常であると判定されるが、この異常な状態が継続しているかどうかを次に判断する。異常な状態が継続していれば、後述のように時刻の記憶や異常データの管理機への送信等が既に行われており、状態の変化がない場合に重ねて記憶したり送信を行うまでもない。これにより、記憶容量の節約になる。具体的には、ＥＥＰＲＯＭ５６ｄに記憶されている消失フラグがＯＦＦにされているかどうかを判断する（Ｓ５）。消失フラグは、ＩＣタグからの応答が返ってこない間はＯＮに、応答が返ってくる間はＯＦＦに設定される。ここで消失フラグがＯＦＦでなくＯＮになっている場合には（Ｓ５：ＮＯ）、前回の呼び出しから継続して応答がない場合であるから、何らその後の処理は行わず、Ｓ３５に進む。
【００６４】
消失フラグがＯＦＦになっている場合には（Ｓ５：ＹＥＳ）、今回はじめて応答がなくなったことを示しているので、状態に変化が生じたと判断して、ＩＣタグにポーリングした時刻を消失時刻としてＥＥＰＲＯＭ５６ｄに記憶する（Ｓ７）。そして、消失フラグをＯＮにする（Ｓ９）。次に、ＩＤコードと消失時刻を組にしてＩ／Ｏインターフェース５６ｅ，ＬＡＮカード５６ｈから管理機１００にＬＡＮケーブル等の通信ケーブル１５０を介して送信する（Ｓ１１）。このようにして、異常が発生した時点で履歴を記憶し、管理機１００にデータを送信して管理機１００側で報知を行うようにしている。
【００６５】
設定時間内に応答が返ってきたが（Ｓ３：ＹＥＳ）、返って来たＩＤコードが正しいものでなければ（Ｓ１３：ＮＯ）、ＩＣタグ８６の付け替えによる不正が行われた可能性がある。この時点で基板ボックス８０の状態は異常であると判定されるが、応答が得られなかった場合と同様に、この異常な状態が継続しているかどうかを次に判断する。すなわち、ＩＤエラーフラグがＯＦＦにされているかどうかを判断する（Ｓ１５）。ＩＤエラーフラグは、ＩＤコードが正しくない間はＯＮに設定される。ここでＩＤエラーフラグがＯＦＦでなくＯＮになっている場合には（Ｓ１５：ＮＯ）、前回から継続してＩＤコードが正しくない場合であるので、何らその後の処理は行わず、Ｓ３５に進む。
【００６６】
ＩＤエラーフラグがＯＦＦになっている場合には（Ｓ１５：ＹＥＳ）、今回はじめてＩＤコードが正しくなくなったことを示しているので、ポーリング時刻をＩＤエラー発生時刻としてＥＥＰＲＯＭ５６ｄに記憶する（Ｓ１７）。そして、ＩＤエラーフラグをＯＮにする（Ｓ１９）。そして、ＩＤコードとＩＤエラー発生時刻を組にしてＩ／Ｏインターフェース５６ｅ，ＬＡＮカード５６ｈから管理機１００にＬＡＮケーブル等の通信ケーブル１５０を介して送信する（Ｓ２１）。
【００６７】
ＩＤコードが正しい場合には（Ｓ１３：ＹＥＳ）、ＩＤエラーフラグがＯＮにされているかどうかを判断する（Ｓ２３）。ＩＤエラーフラグがＯＮになっている場合には（Ｓ２３：ＹＥＳ）、今回正しいＩＤコードに戻ったことを示しているので、ＩＤエラーフラグがをＯＦＦにする（Ｓ２５）。そして、消失フラグがＯＮになっているかどうかを判断する（Ｓ２７）。
【００６８】
消失フラグがＯＮになっている場合には（Ｓ２７：ＹＥＳ）、前回応答がなかったものが今回応答してきたことを示すので、状態に変化が生じたと判断して、今回の応答時刻を復帰時刻としてＥＥＰＲＯＭ５６ｄに記憶する（Ｓ２９）。応答がなくなった時点で消失時刻を記憶しており、今回復帰時刻も記憶することで基板ボックス８０が開放されていた時間を算出することができる。そして、消失フラグをＯＦＦにする（Ｓ３１）。そして、ＩＤコードと復帰時刻を組にして管理機１００にＬＡＮケーブル等の通信ケーブル１５０を介して送信する（Ｓ３３）。そして、処理終了かどうかを判断し（Ｓ３５）、終了であれば（Ｓ３５：ＹＥＳ）処理を終了し、終了でなければ（Ｓ３５：ＮＯ）Ｓ１に戻って処理を継続する。
【００６９】
以上のように処理を行うことにより、前回の呼び出しから継続して設定時間内に真正ＩＤコードが返信されてくれば正常と判定して再びＩＤコードのポーリングに戻る（Ｓ１）。また、設定時間内に応答がない場合、設定時間内に応答があっても正しいＩＤコードでない場合は、基板ボックス８０に異常ありと判定するが、いずれの場合もその状態が前回から継続しているかどうかをチェックし、今回初めて状態変化が起こっている場合のみ時刻の記憶を行う。さらに、設定時間内に真正ＩＤコードが返信されてきても、前回が応答のなかった場合には、正常であっても状態の変化があったとして時刻の記憶を行う。そして、記憶処理と併せて管理機１００へのデータの送信も行うようにしている。記憶やデータ送信を行う場合には、一連の処理が終了した後すぐにＳ１に戻って再びＩＤコードを呼び出す。このように常時ＩＣタグ８６を呼び出して状態を判定し、判定結果に基づいて必要な処理を行うことによって、最小限の記憶容量で基板ボックス８０の異常をチェックし、状態の変化の履歴を記憶させて効率よく監視を行うことができる。
【００７０】
次に、Ｒ／Ｗユニット５６で行われる、アタッカ部材１６０の状態を監視する監視処理について、図１９のフローチャートを参照して説明する。図１９は、アタッカ部材１６０の状態を監視する監視処理のフローチャートである。処理の流れはほとんど基板ボックス８０の監視処理と同様である。ただし、アタッカ部材１６０は、基板ボックス８０と異なり、大当たり時には大入賞口１６の開閉扉１６ａが正常に開放されるので、主制御基板４１から大当たり信号をもらって、正常な開放かどうかを照合する必要がある。また、営業終了後、パチンコ機１の電源が落とされた後は、大当たりを装った大入賞口１６の開閉扉１６ａの不正開放は考えにくいので、アタッカ部材１６０の監視処理は行われない。
【００７１】
まず、Ｒ／Ｗユニット５６内のＣＰＵ５６ａは、ＲＦ回路５６ｇからアンテナ１６８を介して、ＩＣタグ１８６に呼出波を送信してポーリングし（Ｓ１０１）、ＩＣタグ１８６がＩＤコード（識別データ）を返信してくるのを待つ。次に、ＩＣタグ１８６から設定時間内に反射波が返ってきたかどうかを判断する（Ｓ１０３）。本実施形態では、待ち時間を５０ミリ秒に設定している。
【００７２】
ＩＣタグ１８６から設定時間内に真正ＩＤコードが返信され、かつ、その応答が前回から継続していれば、大入賞口１６の開閉扉１６ａは開放されていないと判定できる。この判定は、具体的には、以下のように処理を行う。設定時間内に応答が返ってきた場合は（Ｓ１０３：ＹＥＳ）、返って来たＩＤコードが正しいものであるかどうかを判断し（Ｓ１１３）、ＩＤコードが正しい場合には（Ｓ１１３：ＹＥＳ）、ＩＤエラーフラグがＯＮにされているかどうかを判断する（Ｓ１２３）。ＩＤエラーフラグは、前回から継続して正しいＩＤが返信されてきたかどうかをチェックするものである。ＩＤエラーフラグがＯＦＦの場合には（Ｓ１２３：ＮＯ）、前回から継続して正しいＩＤが返信されてきている。次に、消失フラグがＯＮになっているかどうかを判断する（Ｓ１２７）。消失フラグは、前回設定時間内にＩＣタグ１８６から応答があったかどうかをチェックするものである。消失フラグがＯＦＦになっていれば（Ｓ１２７：ＮＯ）、前回も設定時間内にＩＣタグ１８６からＩＤコードが返信されている。従って、前回から継続して設定時間内に正しいＩＤコードが返信されているので、大入賞口１６の開閉扉１６ａは開放されていないと判定され、何ら記憶も行われず、管理機１００にデータの送信も行われない。そのままＳ１３５に進む。
【００７３】
時間内に応答が帰って来なかった場合は（Ｓ１０３：ＮＯ）、故障でなければ、ＩＣタグ１８６が取り付けられた開閉扉１６ａが開放されたと考えられるので、次に、主制御基板４１の出力ポート５５から入力ポート５６ｉに大当たり信号を受信しているかどうかを判断する（Ｓ１０４）。大当たり信号を受信していれば（Ｓ１０４：ＹＥＳ）、大当たりによる大入賞口１６の開閉扉１６ａの正常な開放であるから、そのままＳ１３５に進む。大当たり信号を受信していなければ（Ｓ１０４：ＮＯ）、この時点で大入賞口１６の状態は異常であると判定されるが、この異常な状態が継続しているかどうかを次に判断する。異常な状態が継続していれば、後述のように時刻の記憶や異常データの管理機への送信等が既に行われており、状態の変化がない場合に重ねて記憶したり送信を行うまでもない。これにより、記憶容量の節約になる。具体的には、ＥＥＰＲＯＭ５６ｄに記憶されている消失フラグがＯＦＦにされているかどうかを判断する（Ｓ１０５）。消失フラグは、ＩＣタグからの応答が返ってこない間はＯＮに、応答が返ってくる間はＯＦＦに設定される。ここで消失フラグがＯＦＦでなくＯＮになっている場合には（Ｓ１０５：ＮＯ）、前回の呼び出しから継続して応答がない場合であるから、何らその後の処理は行わず、Ｓ１３５に進む。
【００７４】
消失フラグがＯＦＦになっている場合には（Ｓ１０５：ＹＥＳ）、今回はじめて応答がなくなったことを示しているので、状態に変化が生じたと判断して、ＩＣタグにポーリングした時刻を消失時刻としてＥＥＰＲＯＭ５６ｄに記憶する（Ｓ１０７）。そして、消失フラグをＯＮにする（Ｓ１０９）。次に、ＩＤコードと消失時刻を組にして管理機１００にＬＡＮケーブル等の通信ケーブル１５０を介して送信する（Ｓ１１１）。このようにして、異常が発生した時点で履歴を記憶し、管理機１００にデータを送信して管理機１００側で報知を行うようにしている。
【００７５】
設定時間内に応答が返ってきたが（Ｓ１０３：ＹＥＳ）、返って来たＩＤコードが正しいものでなければ（Ｓ１１３：ＮＯ）、ＩＣタグ１８６の付け替えによる不正が行われた可能性がある。この時点で大入賞口１６の状態は異常であると判定されるが、応答が得られなかった場合と同様に、この異常な状態が継続しているかどうかを次に判断する。すなわち、ＩＤエラーフラグがＯＦＦにされているかどうかを判断する（Ｓ１１５）。ＩＤエラーフラグは、ＩＤコードが正しくない間はＯＮに設定される。ここでＩＤエラーフラグがＯＦＦでなくＯＮになっている場合には（Ｓ１１５：ＮＯ）、前回から継続してＩＤコードが正しくない場合であるので、何らその後の処理は行わず、Ｓ１３５に進む。
【００７６】
ＩＤエラーフラグがＯＦＦになっている場合には（Ｓ１１５：ＹＥＳ）、今回はじめてＩＤコードが正しくなくなったことを示しているので、ポーリング時刻をＩＤエラー発生時刻としてＥＥＰＲＯＭ５６ｄに記憶する（Ｓ１１７）。そして、ＩＤエラーフラグをＯＮにする（Ｓ１１９）。そして、ＩＤコードとＩＤエラー発生時刻を組にしてＩ／Ｏインターフェース５６ｅから管理機１００にＬＡＮケーブル等の通信ケーブル１５０を介して送信する（Ｓ１２１）。
【００７７】
ＩＤコードが正しい場合には（Ｓ１１３：ＹＥＳ）、ＩＤエラーフラグがＯＮにされているかどうかを判断する（Ｓ１２３）。ＩＤエラーフラグがＯＮになっている場合には（Ｓ１２３：ＹＥＳ）、今回正しいＩＤコードに戻ったことを示しているので、ＩＤエラーフラグがをＯＦＦにする（Ｓ１２５）。そして、消失フラグがＯＮになっているかどうかを判断する（Ｓ１２７）。
【００７８】
消失フラグがＯＮになっている場合には（Ｓ１２７：ＹＥＳ）、前回応答がなかったものが今回応答してきたことを示すので、状態に変化が生じたと判断して、今回の応答時刻を復帰時刻としてＥＥＰＲＯＭ５６ｄに記憶する（Ｓ１２９）。応答がなくなった時点で消失時刻を記憶しており、今回復帰時刻も記憶することで大入賞口１６の開閉扉１６ａが開放されていた時間を算出することができる。そして、消失フラグをＯＦＦにする（Ｓ１３１）。そして、ＩＤコードと復帰時刻を組にして管理機１００にＬＡＮケーブル等の通信ケーブル１５０を介して送信する（Ｓ１３３）。そして、処理終了かどうかを判断し（Ｓ１３５）、終了であれば（Ｓ１３５：ＹＥＳ）処理を終了し、終了でなければ（Ｓ１３５：ＮＯ）Ｓ１０１に戻って処理を継続する。
【００７９】
以上のように処理を行うことにより、前回の呼び出しから継続して設定時間内に真正ＩＤコードが返信されてくれば正常と判定して再びＩＤコードの呼び出しに戻る（Ｓ１０１）。また、設定時間内に応答がなく、大当たりでない場合、又は、設定時間内に応答があっても正しいＩＤコードでない場合は、大入賞口１６の開閉扉１６ａに異常ありと判定するが、いずれの場合もその状態が前回から継続しているかどうかをチェックし、今回初めて状態変化が起こっている場合のみ時刻の記憶を行う。さらに、設定時間内に真正ＩＤコードが返信されてきても、前回が大当たりでないのに応答のなかった場合には、正常であっても状態の変化があったとして時刻の記憶を行う。そして、記憶処理と併せて管理機１００へのデータの送信も行うようにしている。記憶やデータ送信を行う場合には、一連の処理が終了した後すぐにＳ１０１に戻って再びＩＤコードを呼び出す。このように常時ＩＣタグを呼び出して状態を判定し、判定結果に基づいて必要な処理を行うことによって、最小限の記憶容量でアタッカの異常をチェックし、状態の変化の履歴を記憶させて効率よく監視を行うことができる。
【００８０】
次に、管理機１００で行われる処理について図２０のフローチャート及び図２１の履歴データベースに基づいて説明する。図２０は、管理機１００の処理の概略を示すフローチャートであり、図２１は、管理機１００のＥＥＰＲＯＭ１０４に記憶される履歴データベースの模式図である。
【００８１】
遊技場が開店して管理機１００の電源が投入されると、Ｓ３０１〜Ｓ３１１の開店時処理を行う。まず、係員の入力を受け付け、パスワードやＩＤカード等の管理者権限が確認されたかどうかを判断する（Ｓ３０１）。管理者権限は、管理機１００ののＥＥＰＲＯＭ１０４内に管理者権限データベースを記憶し、入力されたパスワードや係員のＩＤとデータベースに記憶されたパスワードやＩＤとを照合して判断する。管理者権限がない場合には（Ｓ３０１：ＮＯ）、処理を終了する。管理者権限がある場合には（Ｓ３０１：ＹＥＳ）、各パチンコ機１に付属したＲ／Ｗユニット５６をＬＡＮケーブルを介してポーリングする（Ｓ３０３）。そして、閉店時間中についての監視履歴を受信する（Ｓ３０５）。エラー履歴を受信した場合には（Ｓ３０７：ＹＥＳ）、その履歴をＥＥＰＲＯＭ１０４の履歴データベースに記憶し（Ｓ３０９）、表示器１０７にそのエラーの内容を表示する（Ｓ３１１）。
【００８２】
開店時処理終了後は、Ｓ３１２〜Ｓ３４１の営業中監視処理を繰り返し行う。まず、パチンコ機１に付属したＲ／Ｗユニット５６からデータを受信したかどうかを判断する（Ｓ３１２）。データを受信した場合は（Ｓ３１２：ＹＥＳ）、そのデータがＩＤエラーデータであるかどうかを判断する（Ｓ３２７）。ＩＤエラーデータの場合は（Ｓ３２７：ＹＥＳ）、そのＩＤコードから、パチンコ機１の台番とＩＤエラーのＩＣタグの設置場所（種別）を判別し、これらの情報とＩＤエラー時刻をＥＥＰＲＯＭ１０４の履歴データベースに記憶する（Ｓ３２９）。履歴データベースは、図２１に示すように、ＩＤコード、パチンコ機１の台番、識別不能になったＩＣタグの設置場所（種別）、消失時刻、復帰時刻、消失時刻から復帰時刻までの識別不能時間、ＩＤエラー時刻を１週間程度分記憶しているものである。そして、表示器１０７に「○○番台基板ボックスＩＤエラー」のようなエラー表示を行い（Ｓ３３５）、該当の警告ランプを点灯する（Ｓ３３７）。警告ランプが点灯され表示器１０７にエラー表示がなされることにより、巡回中の遊技場の係員等が基板ボックス８０や大入賞口１６の状態を知ることができ、該当のパチンコ機１に赴いて状態を調べることができる。
【００８３】
受信したデータがＩＤエラーデータでない場合には（Ｓ３２７：ＮＯ）、ＩＤコードと消失時刻との組である消失データであるかどうかを判断する（Ｓ３３１）。消失データの場合は（Ｓ３３１：ＹＥＳ）、そのＩＤコードからパチンコ機１の台番と消失したＩＣタグの設置場所（種別）を判別し、これらの情報と消失時刻をＥＥＰＲＯＭ１０４の履歴データベースに記憶する（Ｓ３３３）。次いで、表示器１０７に図１３に示すように、「○○番台アタッカ不正開放」のようなエラー表示を行い（Ｓ３３５）、該当の警告ランプを点灯する（Ｓ３３７）。
【００８４】
受信したデータが消失データでない場合は（Ｓ３３１：ＮＯ）、一旦通信不能状態になっていたＩＣタグが再び通信可能になった復帰データであるから、送られてきたＩＤコードを履歴データベースで検索し、該当レコードに復帰時刻を記憶し（Ｓ３３９）、さらに消失時刻から復帰時刻までの識別不能時間を計算して記憶する。
【００８５】
Ｒ／Ｗユニット５６からデータを受信していない場合は（Ｓ３１２：ＮＯ）、遊技場の係員等によるマニュアル操作を受け付けたかどうかを判断する（Ｓ３１３）。マニュアル操作でなければ（Ｓ３１３：ＮＯ）、Ｓ３１２に戻る。マニュアル操作を受け付けた場合は（Ｓ３１３：ＹＥＳ）、管理者権限が確認されたかどうかを判断する（Ｓ３１５）。管理者権限がない場合には（Ｓ３１５：ＮＯ）、Ｓ３１２に戻る。管理者権限がある場合には（Ｓ３１５：ＹＥＳ）、表示器の表示を消去するクリアボタン１１０が押下されたかどうかを判断する（Ｓ３１７）。表示消去であれば（Ｓ３１７：ＹＥＳ）、表示器１０７のエラー表示を消去する（Ｓ３１９）。管理機１００の表示器１０７は、図１３に示すように、パチンコ機１の台番と、消失があったＩＣタグの設置場所（基板ボックス８０・アタッカ部材１６０）が表示され、同時に基板ボックス８０の場合は警告ランプ１０８ｂが、アタッカ部材１６０の場合は警告ランプ１０８ａが点灯される。このような報知を受けて遊技場の係員等が場内で対応した場合には、それ以降の表示は不要となるので、マニュアル操作により表示を消去するものである。
【００８６】
表示消去でなければ（Ｓ３１７：ＮＯ）、履歴データのクリア処理かどうかを判断する（Ｓ３２１）。ＩＣタグやＲ／Ｗユニット５６内に記憶された履歴データは、予め定めた期間を経過した後、クリア指令を受けるとクリアされ、新しい履歴データが記憶できるように構成されている。履歴データをホールコン３００に送信した後は、ＩＣタグやＲ／Ｗユニット５６や管理機１００内に履歴を記憶させておく必要はないので、定期的にクリア処理を行うことにより、少ない記憶容量で構成することができる。履歴データのクリア処理であれば（Ｓ３２１：ＹＥＳ）、ＩＣタグやＲ／Ｗユニット５６，管理機１００のＥＥＰＲＯＭ１０４に記憶された履歴データを消去する（Ｓ３２３）。履歴データのクリア処理でなければ（Ｓ３２１：ＮＯ）、Ｒ／Ｗユニット５６にポーリングし（Ｓ３２５）、データの受信を待つ（Ｓ３１２）。Ｒ／Ｗユニット５６の呼び出しは、管理機１００のキーボードを操作して行う。このようにして、遊技場の係員等が監視対象となっている基板ボックス８０や大入賞口１６の状態を随時確認することができる。
【００８７】
次いで、処理を終了するかどうかを判断し（Ｓ３４１）、終了の場合は（Ｓ３４１：ＹＥＳ）、全体の処理を終了し、終了でなければ（Ｓ３４１：ＮＯ）、Ｓ３２７に戻ってデータの受信を待つ。
【００８８】
７．変形例の説明
尚、本発明は、以上詳述した実施の形態に限定されるものではなく、種々の変形が可能である。以下に、本発明を適用する実施の形態の変形例について、以下に説明する。まず、本実施形態では、有線の通信ケーブル１５０を用いてＲ／Ｗユニット５６と管理機１００とを接続しているが、赤外線通信や無線通信等の無線接続でも同様に構成できる。また、上記実施形態では、遊技機設置島毎に管理機１００を１台設置する構成としたが、複数の島でまとめて管理機１００を１台設置してもよいし、遊技場全体を管理する遊技場管理用ホールコンピュータ３００に管理機を兼ねさせるように構成してもよい。尚、パチンコ機１の各種遊技情報は、Ｒ／Ｗユニット５６や管理機１００を経由せず、ホールコンピュータ３００に直接送信するようにして、Ｒ／Ｗユニット５６は大当たり信号のみを受信するように構成すれば、上記実施の形態と同様の効果を実現できる。
【００８９】
Ｒ／Ｗユニット５６は、センターカバー９０の外側に限らず、パチンコ機１のその他の場所に設置してもよいし、島設備に備え付けるようにしてもよい。また、パチンコ機１に１台のＲ／Ｗユニット５６を用意するのではなく、島に１台又は複数台のＲ／Ｗユニット５６を設け、複数のパチンコ機１に設置されたＩＣタグを監視するように構成してもよい。さらに、Ｒ／Ｗユニット５６は、島設備から電源供給を受けるのではなく、主制御基板４１やバックアップ電源を持つ電源基板４２等のパチンコ機１側から電源供給を受けるように構成してもよい。パチンコ機１の主制御基板４１から電源供給を受けるように構成した場合には、営業終了後パチンコ機１の電源が落とされるとパチンコ機１のバックアップ電源から電源をもらって監視処理を継続することができる。また、Ｒ／Ｗユニット５６の中にバックアップ電源を持つように構成し、営業中に充電を行い、閉店後はそのバックアップ電源を使用するようにしてもよい。
【００９０】
上記実施形態では可動部材としてアタッカ部材（特別電動役物）にＩＣタグを設置しているが、アタッカ部材に限らず普通電動役物等の可変入賞装置にＩＣタグを設置してもよい。アタッカ部材に設置した場合と同様に、不正に可変入賞装置が開放されるのを監視することができる。
【００９１】
ＩＣタグ８６は、上記実施形態のような薄い小型長方形の物に限らず、例えばコイン型やスティック型等、形状や大きさを自由に構成することができる。また、上記実施形態のような電磁誘導方式に限定されず、電磁結合方式やマイクロ波方式、光方式等、様々な方式を利用可能である。さらに、ＩＣタグ８６は、上蓋部８０ａの裏面に固着するのでなく、ＬＳＩ５０のモールディング部に埋め込んで設置してもよい。図２２及び図２３は、ＩＣタグ８６を主制御基板４１上のＬＳＩ５０に埋め込んで形成した場合の基板ボックス８０の分解斜視図である。この変形例では、ＩＣタグ６８が主制御基板４１上のＬＳＩ５０内にあり、アンテナ６８が上蓋部８０ａに配置されている。アンテナ６８とＩＣタグ８６間の通信により上蓋部８０ａの開放を検知する監視システムであるから、前述の実施形態でも本変形例でも実現される効果は同様である。また、開閉の痕跡だけでなく、ＲＯＭのすり替えについても発見できる。また、ＩＣタグは上蓋部内に一体成型してもよく、一旦貼り付けたら剥がすと破壊されるように構成してもよい。
【００９２】
アンテナ６８は、図２４の斜視図に示すように、主制御基板４１上に回路パターン作成と同時にプリントして形成してもよい。主制御基板４１上にプリントすることで、部品点数を削減することができる。プリントされるアンテナ６８の位置や形状は図２４に示すような右下部位置や渦巻き形状に限らず、基板の外周に沿って渦巻きを数周形成してプリントするようなものでもよい。この場合には、ＩＣタグ８６が主制御基板４１上のどこに配置されてもアンテナ６８との通信を確保することができる。さらに、大入賞口１６の開閉扉１６ａに取り付けられるＩＣタグ１８６と通信するアンテナ１６８は、ガラス枠１３側やガラス板に取り付けてもよい。尚、ＩＣタグとアンテナの通信可能距離は、上記実施形態のような約５ｍｍに限定されず、ＩＣタグの監視場所により任意に調節可能である。
【００９３】
上記実施の形態における監視処理では、ＩＣタグから反射波が返答されてくるのを待つ待ち時間を５０ミリ秒に設定しているが、これに限定されず、リアルタイムに監視できる数ミリ秒〜数秒の範囲で変更可能である。また、消失時刻と復帰時刻をＲ／Ｗユニット５６のＥＥＰＲＯＭ５６ｄに記憶するように構成しているが、Ｒ／Ｗユニット５６内にハードディスクを設けて記憶させてもよいし、光メディア等の他の記憶媒体を使用してもよい。また、ＲＡＭ５６ｂに一旦記憶し、データを管理機に送信した後にＲＡＭ５６ｂをクリアするように構成してもよい。このように構成すれば、ＥＥＰＲＯＭ５６ｄは不要となる。また、応答がなかった場合に、ポーリング時刻を消失時刻としてＲ／Ｗユニット５６のＲＡＭ５６ｂに一旦記憶しておき、復帰した場合に復帰時刻と合わせてＩＣタグ８６のＥＥＰＲＯＭ８６ｃに記憶させるようにしてもよい。このように構成すると、履歴を管理機と二重に保持することになるので、万一管理機内のデータが消えてしまった場合にも履歴が残ることになる。さらに、そのＩＣタグをパチンコ機１のメーカーへ返却すれば、履歴をメーカー側でも管理できる。さらに、ＩＣタグ８６の内部に電源を持たせ、ＥＥＰＲＯＭ５６ｄに記憶すると同時にＥＥＰＲＯＭ８６ｃに記憶したり、ＥＥＰＲＯＭ５６ｄに記憶する代わりにＥＥＰＲＯＭ８６ｃに記憶するようにしてもよい。また、営業中は、管理機１００に結果を送信するのみで、ＲＡＭやＥＥＰＲＯＭ８６ｃに記憶させず、閉店後のみ記憶するようにしてもよい。また、管理機１００の処理において、データの受信内容を記憶して表示器への表示と警告ランプの点灯をするのみにとどめているが、記憶内容を遊技場管理用ホールコンピュータ３００に送信して１ヶ月程度記憶させたり、外部の記憶装置に送信するように構成してもよい。尚、識別不能時間の算出は、管理機１００でなく、Ｒ／Ｗユニット５６で行い、復帰データとともにＲ／Ｗユニット５６から管理機１００に送信するようにしてもよい。
【００９４】
８．実施の形態の効果
以上説明したように、本実施形態の管理システムによれば、管理機１００に接続されたパチンコ機１の基板ボックス８０と大入賞口１６の開閉扉１６ａにＩＣタグを設置し、Ｒ／Ｗユニット５６からほぼ常時にそれぞれのＩＣタグに呼出波を送信してＩＣタグの識別データを乗せた反射波を応答させ、応答がなくなった場合（消失）や、再び応答するようになった場合（復帰）にそのＩＣタグのＩＤコードと消失時刻・復帰時刻を管理機１００に送信させるように構成している。そして、このようなデータ送信を受けた管理機１００では、この内容を記憶するとともに、表示器１０７に表示するようにして、係員等の注意を促し、不正行為の早期発見や防止に役立てることができる。
【００９５】
【発明の効果】
上記説明から明らかなように、請求項１に記載の監視システムによれば、送信回路がアンテナを介して呼出波を送信してＩＣタグを呼び出すと、ＩＣタグは識別データを含む反射波を返すので、この通信が可能であるか否か、識別データが真正であるか否かにより正常か異常かを判定することができる。識別データを含む無線通信によるため、光や電気等に比べて改竄やいわゆる「なりすまし」が難しい。従って、常にはＩＣタグをアンテナから通信可能な位置に設置しておけば、ＩＣタグを固着した部材が通信可能な範囲外へ移動する等した場合には、反射波が受信できなくなり、通信不能となる。また、通信不能状態から、通信可能範囲内の位置へ再び復帰すると反射波が受信できるようになる。このため、目視によらず部材の開放や移動等装置の状態の変化を検知することができる。このような通信不能と復帰を記憶させて履歴に残すようにすれば、正常な場合と不正な場合とを区別することもでき、効果的に監視を行うことができる。
【００９６】
請求項２に記載の監視システムによれば、請求項１に記載の発明の効果に加え、ＩＣタグとアンテナの距離が離れると、受信回路が反射波を受信できなくなり、通信不能となる。従って、ＩＣタグを開閉する部材に設置したような場合、部材が開放されることによってＩＣタグとアンテナの距離が離れると通信不能になるので、開放を検知することができる。
【００９７】
請求項３に記載の監視システムによれば、請求項１又は２に記載の発明の効果に加え、ＩＣタグの監視履歴を後から参照することができる。また、不正が行われた正確な時刻を知ることができるため、監視システムの設置された装置のある遊技場等に監視カメラが設置されている場合には、監視カメラと照合すれば、不正行為をなした人物を特定することも可能である。
【００９８】
請求項４に記載の監視システムによれば、請求項３に記載の発明の効果に加え、正常であれ異常であれ状態の変化がない場合は記憶せず、状態の変化があった場合のみ記憶するようにしたので、記憶容量を節約することができる。
【００９９】
請求項５に記載の監視システムによれば、請求項３又は４に記載の発明の効果に加え、ＩＣタグを常時呼び出して、装置の状態を監視するため、リアルタイムに異常を発見し、外部に出力したり履歴を残すことができる。
【０１００】
請求項６に記載の監視システムによれば、請求項３又は４に記載の発明の効果に加え、記憶された判定結果や監視履歴データが外部に出力されるので、異常と判定された場合に光や音等で報知する等して注意を喚起することができる。
【０１０１】
請求項７に記載の監視システムによれば、請求項１又は２に記載の発明の効果に加え、出力された判定結果や監視履歴データに基づいて外部装置において報知を行ったり、外部装置側で記憶してＩＣタグの監視履歴を後から参照することができる。また、不正が行われた正確な時刻を知ることができるため、監視システムの設置された装置のある遊技場等に監視カメラが設置されている場合には、監視カメラと照合すれば、不正行為をなした人物を特定することも可能である。
【０１０２】
請求項８に記載の監視システムによれば、請求項７に記載の発明の効果に加え、正常であれ異常であれ状態の変化がない場合は外部に出力せず、状態の変化があった場合のみ外部に出力するようにしたので、効率的に出力結果を利用することができる。
【０１０３】
請求項９に記載の監視システムによれば、請求項６乃至８のいずれかに記載の発明の効果に加え、ＩＣタグを常時呼び出して装置の状態を監視するため、リアルタイムに異常を発見し、外部に出力したり履歴を残すことができる。
【０１０４】
請求項１０に記載の遊技機によれば、請求項１乃至９のいずれかに記載の発明の効果を奏することができる。
【０１０５】
請求項１１に記載の遊技機によれば、請求項１０に記載の発明の効果に加え、ＩＣタグとアンテナとが本体部材とカバー部材に別個に設けられ、本体部材とカバー部材が組み付けられた状態の時に、両者は封入部材に封入されているため、カバー部材が開けられると、ＩＣタグとアンテナの相対位置が変化し、通信不能状態となる。これを外部に出力したり、記憶して履歴を取ったりすることにより、基板の交換等を目的とした不正な開放を検知することができる。すぐに報知するように構成すれば、不正行為の早期発見に役立てることができる。
【０１０６】
請求項１２に記載の遊技機によれば、請求項１０に記載の発明の効果に加え、可動部材が動作すると、反射波が受信できなくなり、これを所定条件の成立の有無とつきあわせることにより、正常な動作か不正行為かを検知することができる。
【０１０７】
請求項１３に記載の装置管理システムによれば、請求項６乃至９のいずれかに記載の発明の効果に加え、管理機の監視履歴データ受信手段が、ＩＣタグ監視装置の出力手段から出力された判定結果や監視履歴データを受信する。従って、個々の装置の監視履歴データを管理機側で把握して早期に対応することが可能になる。
【０１０８】
請求項１４に記載の装置管理システムによれば、請求項１３に記載の発明の効果に加え、受信した個々の装置の監視履歴データを管理機側で一括して記憶し、ＩＣ監視装置の記憶内容をクリアしたり、複数の装置の監視履歴を比較したりする等、柔軟な対応が可能になる。
【０１０９】
請求項１５に記載の装置管理システムによれば、請求項１３又は１４に記載の発明の効果に加え、複数の装置から受信した監視履歴をまとめて一ヶ所で表示したり、警告ランプや音等で報知したりして不正行為等に効率的に対応できる。
【図面の簡単な説明】
【図１】管理システム２００のシステム構成図である。
【図２】パチンコ機１の正面図である。
【図３】パチンコ機１の遊技盤２の正面図である。
【図４】パチンコ機１の背面図である。
【図５】Ｒ／Ｗユニット５６の分解斜視図である。
【図６】基板ボックス８０の平面図である。
【図７】基板ボックス８０の斜視図である。
【図８】基板ボックス８０の分解斜視図である。
【図９】基板ボックス８０の分解斜視図である。
【図１０】ＩＣタグ８６，１８６の正面図である。
【図１１】開閉扉１６ａが閉鎖されている状態のアタッカ部材１６０の斜視図である。
【図１２】開閉扉１６ａが開放されている状態のアタッカ部材１６０の斜視図である。
【図１３】管理機１００の正面図である。
【図１４】パチンコ機１の電気的回路構成を示すブロック図である。
【図１５】Ｒ／Ｗユニット５６の電気的回路構成を示すブロック図である。
【図１６】ＩＣタグ８６の電気的回路構成を示すブロック図である。
【図１７】管理機１００の構成を示すブロック図である。
【図１８】基板ボックス８０の状態を監視する監視処理のフローチャートである。
【図１９】アタッカ部材１６０の状態を監視する監視処理のフローチャートである。
【図２０】管理機１００の処理の概略を示すフローチャートである。
【図２１】履歴データベースの模式図である。
【図２２】変形例の基板ボックス８０の分解斜視図である。
【図２３】変形例の基板ボックス８０の分解斜視図である。
【図２４】別の変形例の基板ボックス８０の斜視図である。
【符号の説明】
１　パチンコ機
２　遊技盤
１６　大入賞口
１６ａ　開閉扉
４１　主制御基板
４２　電源基板
５０　ＬＳＩ
５１　ＣＰＵ
５２　ＲＡＭ
５３　ＲＯＭ
５５　出力ポート
５６　Ｒ／Ｗユニット
５６ａ　ＣＰＵ
５６ｂ　ＲＡＭ
５６ｃ　ＲＯＭ
５６ｄ　ＥＥＰＲＯＭ
５６ｇ　ＲＦ回路
５６ｈ　ＬＡＮカード
５６ｉ　入力ポート
５６ｋ　同軸ケーブル
６８　アンテナ
６９　７セグメント表示器
８０　基板ボックス
８０ａ　上蓋部
８０ｃ　下蓋部
８６　ＩＣタグ
８６ｃ　ＥＥＰＲＯＭ
１００　管理機
１０４　ＥＥＰＲＯＭ
１０６　通信回路
１０７　表示器
１０８　警告ランプ
１６０　アタッカ部材
１８６　ＩＣタグ
１６８　アンテナ
２００　管理システム
３００　遊技場管理用ホールコンピュータ
【図１】
2004065801.tif 000003
【図２】
2004065801.tif 000004
【図３】
2004065801.tif 000005
【図４】
2004065801.tif 000006
【図５】
2004065801.tif 000007
【図６】
2004065801.tif 000008
【図７】
2004065801.tif 000009
【図８】
2004065801.tif 000010
【図９】
2004065801.tif 000011
【図１０】
2004065801.tif 000012
【図１１】
2004065801.tif 000013
【図１２】
2004065801.tif 000014
【図１３】
2004065801.tif 000015
【図１４】
2004065801.tif 000016
【図１５】
2004065801.tif 000017
【図１６】
2004065801.tif 000018
【図１７】
2004065801.tif 000019
【図１８】
2004065801.tif 000020
【図１９】
2004065801.tif 000021
【図２０】
2004065801.tif 000022
【図２１】
2004065801.tif 000023
【図２２】
2004065801.tif 000024
【図２３】
2004065801.tif 000025
【図２４】
2004065801.tif 000026